(57)【要約】      （修正有）【課題】表示部に表示されている画面に含まれる文字群の中で、ユーザーが着目した用語に関連した説明画面をスムーズに表示する。【解決手段】認識部５０３は、ユーザーがタッチパネル部４０５に指を接触させ、表示部４０３に表示されている画面に含まれる文字群の中で、連続する複数の文字をなぞる第１の操作をしたとき、複数の文字（文字列）を認識する。第１の判断部５０７は、上記文字列が、予め定められた複数の用語のいずれかに該当するか否かを判断する。第２の判断部５０９は、第１の操作がされた後、ユーザーがタッチパネル部４０５に指を接触させて、第１の操作と異なるジェスチャーである第２の操作をしたか否かを判断する。表示制御部５０１は、文字列が複数の用語のいずれかに該当すると判断され、かつ、第２の操作がされたと判断されたとき、複数の用語のうち文字列に該当する用語に関連付けられた画面を表示部４０３に表示する。【選択図】図１
2016062432.tif 000002
【特許請求の範囲】
【請求項１】
表示部と、
前記表示部上に配置されたタッチパネル部と、
画像形成装置の操作に関連する文字群を含む画面を、前記表示部に表示させる表示制御部と、
ユーザーが前記タッチパネル部に指示体を接触させて、前記表示部に表示されている画面に含まれる前記文字群の中で、連続する複数の文字をなぞる第１の操作をしたとき、前記複数の文字を認識する認識部と、
前記認識部で認識された前記複数の文字が、予め定められた複数の用語のいずれかに該当するか否かを判断するする第１の判断部と、
前記第１の操作がされた後、前記ユーザーが前記タッチパネル部に前記指示体を接触させて、前記第１の操作と異なるジェスチャーである第２の操作をしたか否かを判断する第２の判断部と、を備え、
前記表示制御部は、前記第１の判断部が、前記複数の文字が前記複数の用語のいずれかに該当すると判断し、かつ、前記第２の判断部が、前記第２の操作がされたと判断したとき、前記複数の用語のうち前記複数の文字に該当する用語に関連付けられた予め定められた画面を、前記表示部に表示させる画像形成装置。
【請求項２】
前記認識部は、前記ユーザーが前記指示体を最初に接触させた前記タッチパネル部の箇所を始点とし、前記指示体を前記タッチパネル部に接触させた状態で前記始点から一方向に前記指示体を動かし、前記指示体の動きを停止させた前記タッチパネル部の箇所を終点とする前記第１の操作がされたとき、前記始点から前記終点の範囲にある前記複数の文字を認識し、
前記第２の判断部は、前記ユーザーが前記終点に前記指示体を接触させた状態で、前記一方向と異なる方向に前記指示体で前記タッチパネル部を弾く前記第２の操作がされたか否かを判断する請求項１に記載の画像形成装置。
【請求項３】
前記第２の判断部が、前記第２の操作において、前記ユーザーが前記指示体で前記タッチパネル部を第１の方向に弾いたと判断したとき、前記表示制御部は、前記予め定められた画面として、前記第１の方向に弾いた場合に割り当てられた第１の画面を前記表示部に表示させ、
前記第２の判断部が、前記第２の操作において、前記ユーザーが前記指示体で前記タッチパネル部を前記第１の方向と逆の第２の方向に弾いたと判断したとき、前記表示制御部は、前記予め定められた画面として、前記第２の方向に弾いた場合に割り当てられた、前記第１の画面と異なる第２の画面を前記表示部に表示させる請求項２に記載の画像形成装置。
【請求項４】
前記表示制御部は、前記認識部が、前記複数の文字に二以上の用語が含まれていることを認識したとき、前記二以上の用語のいずれかの選択を促す選択画面を前記表示部に表示させ、
前記表示制御部は、前記表示部に前記選択画面を表示させた状態で、前記第２の判断部が、前記ユーザーが前記タッチパネル部に前記指示体を接触させて、前記二以上の用語のいずれかを選択し、前記第２の操作をしたと判断したとき、選択された用語に関連付けられた前記予め定められた画面を前記表示部に表示させる請求項１〜３のいずれか一項に記載の画像形成装置。
【請求項５】
画像形成装置の操作に関連する文字群を含む画面を、タッチパネル部が配置された表示部に表示させる第１の表示ステップと、
ユーザーが前記タッチパネル部に指示体を接触させて、前記表示部に表示されている画面に含まれる前記文字群の中で、連続する複数の文字をなぞる第１の操作をしたとき、前記複数の文字を認識する認識ステップと、
前記認識ステップで認識された前記複数の文字が、予め定められた複数の用語のいずれかに該当するか否かを判断するする第１の判断ステップと、
前記第１の操作がされた後、前記ユーザーが前記タッチパネル部に前記指示体を接触させて、前記第１の操作と異なるジェスチャーである第２の操作をしたか否かを判断する第２の判断ステップと、
前記第１の判断ステップによって、前記複数の文字が前記複数の用語のいずれかに該当すると判断され、かつ、前記第２の判断ステップによって、前記第２の操作がされたと判断されたとき、前記複数の用語のうち前記複数の文字に該当する用語に関連付けられた予め定められた画面を、前記表示部に表示させる第２の表示ステップと、を備える画面操作方法。
【発明の詳細な説明】
【技術分野】
【０００１】
本発明は、画像形成装置に備えられる表示部に表示される画面を操作する技術に関する。
【背景技術】
【０００２】
タッチパネル式の操作画面を用いて操作する画像形成装置において、指を用いたジェスチャーによって操作画面の表示を切り替える技術がある。例えば、特許文献１は、レギュラーモード画面の機能設定領域上で、ユーザーがフリック操作をしたとき、エクスプレスモード画面を表示する画像形成装置を開示している。
【先行技術文献】
【特許文献】
【０００３】
【特許文献１】特開２０１２−８４０３５号公報（段落００４１−００４８）
【発明の概要】
【発明が解決しようとする課題】
【０００４】
画像形成装置が多機能化し、ユーザーが全ての機能を予め理解して画像形成装置を利用するのは困難である。そこで、予め定められた機能については、それらの機能を説明するヘルプ画面がそれぞれ用意されている。ヘルプ画面は、文字による機能の説明を含む。
【０００５】
ヘルプ画面において、ある機能の説明に別の機能を示す用語が用いられることがある。例えば、両面コピー機能のヘルプ画面に含まれる両面コピーを説明する文字群に、「縮小／拡大」という縮小／拡大コピー機能を示す用語が含まれているとする。縮小／拡大コピー機能について詳細に知りたい場合、縮小／拡大コピー機能を説明するヘルプ画面に直ちに切り替えることができれば便利である。
【０００６】
本発明は、表示部に表示されている画面に含まれる文字群の中でユーザーが着目した用語と関連する画面をスムーズに表示できる画像形成装置、及び、画面操作方法を提供することを目的とする。
【課題を解決するための手段】
【０００７】
上記目的を達成する本発明の第１の局面に係る画像形成装置は、表示部と、前記表示部上に配置されたタッチパネル部と、画像形成装置の操作に関連する文字群を含む画面を、前記表示部に表示させる表示制御部と、ユーザーが前記タッチパネル部に指示体を接触させて、前記表示部に表示されている画面に含まれる前記文字群の中で、連続する複数の文字をなぞる第１の操作をしたとき、前記複数の文字を認識する認識部と、前記認識部で認識された前記複数の文字が、予め定められた複数の用語のいずれかに該当するか否かを判断するする第１の判断部と、前記第１の操作がされた後、前記ユーザーが前記タッチパネル部に前記指示体を接触させて、前記第１の操作と異なるジェスチャーである第２の操作をしたか否かを判断する第２の判断部と、を備え、前記表示制御部は、前記第１の判断部が、前記複数の文字が前記複数の用語のいずれかに該当すると判断し、かつ、前記第２の判断部が、前記第２の操作がされたと判断したとき、前記複数の用語のうち前記複数の文字に該当する用語に関連付けられた予め定められた画面を、前記表示部に表示させる。
【０００８】
本発明の第１の局面に係る画像形成装置は、第１の操作を基にして、画面に含まれる文字群の中からユーザーが着目した用語を特定し、第２の操作を基にして、上記特定した用語に関連付けられた画面を表示部に表示させる。従って、表示部に表示されている画面に含まれる文字群の中でユーザーが着目した用語と関連する画面をスムーズに表示させることができる。
【０００９】
上記構成において、前記認識部は、前記ユーザーが前記指示体を最初に接触させた前記タッチパネル部の箇所を始点とし、前記指示体を前記タッチパネル部に接触させた状態で前記始点から一方向に前記指示体を動かし、前記指示体の動きを停止させた前記タッチパネル部の箇所を終点とする前記第１の操作がされたとき、前記始点から前記終点の範囲にある前記複数の文字を認識し、前記第２の判断部は、前記ユーザーが前記終点に前記指示体を接触させた状態で、前記一方向と異なる方向に前記指示体で前記タッチパネル部を弾く前記第２の操作がされたか否かを判断する。
【００１０】
第１の操作が、連続する複数の文字をなぞる動作であり、第２の操作が、タッチパネル部を弾く動作とした場合でも、第１の操作と第２の操作とで指示体が動く方向が同じであれば、第２の判断部は、第１の操作と第２の操作とを区別できない可能性がある。この構成によれば、第１の操作と第２の操作とで指示体が動く方向を変えているので、第１の操作と第２の操作とを確実に区別することができる。
【００１１】
上記構成において、前記第２の判断部が、前記第２の操作において、前記ユーザーが前記指示体で前記タッチパネル部を第１の方向に弾いたと判断したとき、前記表示制御部は、前記予め定められた画面として、前記第１の方向に弾いた場合に割り当てられた第１の画面を前記表示部に表示させ、前記第２の判断部が、前記第２の操作において、前記ユーザーが前記指示体で前記タッチパネル部を前記第１の方向と逆の第２の方向に弾いたと判断したとき、前記表示制御部は、前記予め定められた画面として、前記第２の方向に弾いた場合に割り当てられた、前記第１の画面と異なる第２の画面を前記表示部に表示させる。
【００１２】
この構成によれば、用語に関連付けられた画面が二つある場合、二つの画面のいずれかを選択して表示させることができる。また、第１の方向と第２の方向とにおいて、指示体が動く方向を逆にすることにより、第１の方向と第２の方向とを確実に区別することができる。
【００１３】
上記構成において、前記表示制御部は、前記認識部が、前記複数の文字に二以上の用語が含まれていることを認識したとき、前記二以上の用語のいずれかの選択を促す選択画面を前記表示部に表示させ、前記表示制御部は、前記表示部に前記選択画面を表示させた状態で、前記第２の判断部が、前記ユーザーが前記タッチパネル部に前記指示体を接触させて、前記二以上の用語のいずれかを選択し、前記第２の操作をしたと判断したとき、選択された用語に関連付けられた前記予め定められた画面を前記表示部に表示させる。
【００１４】
この構成によれば、認識部が認識した複数の文字に二以上の用語が含まれている場合、再度、第１の操作をやり直す手間を省くことができる。
【００１５】
本発明の第２の局面に係る画面操作方法は、画像形成装置の操作に関連する文字群を含む画面を、タッチパネル部が配置された表示部に表示させる第１の表示ステップと、ユーザーが前記タッチパネル部に指示体を接触させて、前記表示部に表示されている画面に含まれる前記文字群の中で、連続する複数の文字をなぞる第１の操作をしたとき、前記複数の文字を認識する認識ステップと、前記認識ステップで認識された前記複数の文字が、予め定められた複数の用語のいずれかに該当するか否かを判断するする第１の判断ステップと、前記第１の操作がされた後、前記ユーザーが前記タッチパネル部に前記指示体を接触させて、前記第１の操作と異なるジェスチャーである第２の操作をしたか否かを判断する第２の判断ステップと、前記第１の判断ステップによって、前記複数の文字が前記複数の用語のいずれかに該当すると判断され、かつ、前記第２の判断ステップによって、前記第２の操作がされたと判断されたとき、前記複数の用語のうち前記複数の文字に該当する用語に関連付けられた予め定められた画面を、前記表示部に表示させる第２の表示ステップと、を備える。
【００１６】
本発明の第２の局面に係る画面操作方法によれば、本発明の第１の局面に係る画像形成装置と同様の理由により、表示部に表示されている画面に含まれる文字群の中でユーザーが着目した用語と関連する画面をスムーズに表示させることができる。
【発明の効果】
【００１７】
本発明によれば、表示部に表示されている画面に含まれる文字群の中でユーザーが着目した用語と関連する画面をスムーズに表示できる。
【図面の簡単な説明】
【００１８】
【図１】本実施形態に係る画像形成装置の構成を示すブロック図である。
【図２】縮小／拡大コピー機能を説明するヘルプ画面を示す画面図である。
【図３】レイアウトコピー機能を説明するヘルプ画面を示す画面図である。
【図４】用語「縮小／拡大」のリストを説明する説明図である。
【図５】本実施形態に係る画像形成装置に備えられる表示部に表示される画面の操作について説明するフローチャートの前半である。
【図６】本実施形態に係る画像形成装置に備えられる表示部に表示される画面の操作について説明するフローチャートの後半である。
【図７】両面／分割コピー機能を説明するヘルプ画面を示す画面図である。
【図８】タッチパネル部に指が接触した状態のヘルプ画面を示す画面図である。
【図９】ヘルプ画面上でドラッグをしていることを示す画面図である。
【図１０】ヘルプ画面上で下フリックをしていることを示す画面図である。
【図１１】ヘルプ画面上で上フリックをしていることを示す画面図である。
【図１２】選択画面を示す画面図である。
【発明を実施するための形態】
【００１９】
以下、図面に基づいて本発明の実施形態を詳細に説明する。図１は、本発明の一実施形態に係る画像形成装置１の構成を示すブロック図である。画像形成装置１として、コピー、プリンター、スキャナー及びファクシミリの機能を有するデジタル複合機を例に説明する。画像形成装置１は、画像を印刷する機能を有する装置であればよく、デジタル複合機に限定されない。例えば、プリンターを画像形成装置１としてもよい。画像形成装置１は、印刷部１００、原稿読取部２００、原稿給送部３００、操作部４００、制御部５００、及び、通信部６００を備える。
【００２０】
原稿給送部３００は、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００２１】
原稿読取部２００は、原稿台に載置された原稿や、原稿給送部３００から給送された原稿を読み取り、その原稿の画像データを出力する。
【００２２】
印刷部１００は、印刷ジョブを実行する。印刷ジョブとは、画像を示すデータ（例えば、原稿読取部２００から出力された画像データ、パソコン等の端末装置から送信されてきた印刷データ、ファクシミリ受信の画像データ）について、そのデータで示される画像を印刷した印刷物を生成するジョブである。
【００２３】
操作部４００は、操作キー部４０１及び表示部４０３を備える。表示部４０３上には、タッチパネル部４０５が配置されている。表示部４０３には、ソフトキーを含む画面が表示される。ユーザーは、画面を見ながらソフトキーを操作することによって、コピー等の機能の実行に必要な設定等をする。
【００２４】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００２５】
制御部５００は、ＣＰＵ、ＲＯＭ、及び、ＲＡＭを備える。ＣＰＵは、画像形成装置１を動作させるために必要な制御を、画像形成装置１の上記構成要素（例えば、印刷部１００）に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。
【００２６】
制御部５００は、機能ブロックとして、表示制御部５０１、認識部５０３、画面データ記憶部５０５、第１の判断部５０７、及び、第２の判断部５０９を備える。これらのブロックの詳細は、後で説明する。
【００２７】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００２８】
ネットワークＩ／Ｆ部６０３は、ＬＡＮ６０７に接続される。ネットワークＩ／Ｆ部６０３は、ＬＡＮ６０７に接続されたパソコン等の端末装置との間で通信を実行するための通信インターフェイス回路である。
【００２９】
表示制御部５０１は、画面（例えば、画像形成装置１の操作に関連する文字群を含む画面）を、表示部４０３に表示させる制御をする。
【００３０】
認識部５０３は、ユーザーがタッチパネル部４０５に指を接触させて、表示部４０３に表示されている画面に含まれる文字群の中で、連続する複数の文字をなぞる第１の操作をしたとき、複数の文字を認識する。第１の操作として、ドラッグを例に説明するが、第１の操作に対応するジェスチャー操作であれば、名称を問わない。指示体として、指を例に説明するが、指示体は、指に限定されず、例えば、タッチペンでもよい。
【００３１】
画面データ記憶部５０５には、表示部４０３に表示される画面を示す画面データが記憶されている。
【００３２】
画像形成装置１は、多数の機能を有し、これらを単独で実行したり、組み合わせて実行したりする。機能とは、例えば、両面／分割コピー機能、回転コピー機能、縮小／拡大コピー機能、集約コピー機能をいう。組み合わせ機能とは、例えば、それらの機能を組み合わせたレイアウトコピー機能をいう。
【００３３】
各機能について、その機能を説明するヘルプ画面が予め用意され、また、各組み合わせ機能について、その組み合わせ機能を説明するヘルプ画面が予め用意されている。これらのヘルプ画面を示す画面データは、画面データ記憶部５０５に予め記憶されている。例えば、図２は、縮小／拡大コピー機能を説明するヘルプ画面１１を示す画面図であり、図３は、レイアウトコピー機能を説明するヘルプ画面１３を示す画面図である。
【００３４】
各機能について、その機能を示す言葉、及び、各組み合わせ機能について、その組み合わせ機能を示す言葉を、用語とする。例えば、両面／分割コピー機能を示す言葉である「両面／分割」が用語となる。第１の判断部５０７は、これら複数の用語のリストを予め記憶し、認識部５０３で認識された複数の文字が、複数の用語のいずれかに該当するか否か判断する。
【００３５】
第２の判断部５０９は、第１の操作がされた後、ユーザーがタッチパネル部４０５に指を接触させて、第１の操作と異なるジェスチャーである第２の操作をしたか否かを判断する。第２の操作として、タッチパネル部４０５を指で弾くジェスチャー、二本の指でタッチパネル部４０５に触れた状態で、指を近づけていくジェスチャー等がある。第２の操作として、タッチパネル部４０５を指で弾くジェスチャーを例に説明する。このようなジェスチャーとして、フリックがあるが、タッチパネル部４０５を指で弾くジェスチャーであれば、名称を問わない。
【００３６】
第２の判断部５０９は、上述した複数の用語に対して、下フリックの場合に表示されるヘルプ画面及び上フリックの場合に表示されるヘルプ画面を示すリストを予め記憶している。下フリックとは、タッチパネル部４０５の下側に向けてフリックすることである。下フリックは、ユーザーが指でタッチパネル部４０５を第１の方向に弾くジェスチャーの一例である。上フリックとは、タッチパネル部４０５の上側に向けてフリックすることである。上フリックは、ユーザーが指でタッチパネル部４０５を第１の方向と逆の第２の方向に弾いくジェスチャーの一例である。
【００３７】
リストについて具体的に説明する。図４は、用語「縮小／拡大」のリストを説明する説明図である。用語「縮小／拡大」は、縮小／拡大コピー機能を示している。下フリックの場合に表示されるヘルプ画面は、図２に示す縮小／拡大コピー機能を説明するヘルプ画面１１である。上フリックの場合に表示されるヘルプ画面は、図３に示すレイアウトコピー機能を説明するヘルプ画面１３である。
【００３８】
第２の判断部５０９が、第２の操作において、ユーザーが下フリックしたと判断したとき、表示制御部５０１は、予め定められた画面として、下フリックの場合に割り当てられたヘルプ画面１１（第１の画面の一例）を表示部４０３に表示させる。
【００３９】
第２の判断部５０９が、第２の操作において、ユーザーが上フリックしたと判断したとき、表示制御部５０１は、予め定められた画面として、上フリックの場合に割り当てられたヘルプ画面１３（第１の画面と異なる第２の画面の一例）を表示部４０３に表示させる。
【００４０】
本実施形態に係る画像形成装置１に備えられる表示部４０３に表示される画面の操作について説明する。図５及び図６は、それを説明するフローチャートである。ユーザーが、図１に示す操作部４００を操作して、ある機能を説明するヘルプ画面を表示する命令をしたとき、表示制御部５０１は、その機能を説明するヘルプ画面を示す画面データを、画面データ記憶部５０５から読み出し、そのヘルプ画面を表示部４０３に表示させる（ステップＳ１）。ある機能が、例えば、両面／分割コピー機能であれば、表示制御部５０１は、図７に示す両面／分割コピー機能を説明するヘルプ画面１５を表示部４０３に表示させる。
【００４１】
ヘルプ画面１５は、両面／分割コピー機能を説明する文字群１７を含む。ユーザーが、文字群１７に含まれるある用語（例えば、「縮小／拡大」）について着目したとする。
【００４２】
認識部５０３は、図８に示すように、ユーザーがタッチパネル部４０５に指Ｆ（指示体の一例）を接触させたか否かを判断する（ステップＳ２）。
【００４３】
認識部５０３が、タッチパネル部４０５に指Ｆが接触していないと判断したとき（ステップＳ２でＮｏ）、ステップＳ２の処理が繰り返される。
【００４４】
認識部５０３が、タッチパネル部４０５に指Ｆが接触したと判断したとき（ステップＳ２でＹｅｓ）、認識部５０３は、ユーザーが指Ｆを最初に接触させたタッチパネル部４０５の箇所を始点とし、始点のタッチパネル部４０５上の位置情報を記憶する（ステップＳ３）。
【００４５】
認識部５０３は、ドラッグがされたか否かを判断する（ステップＳ４）。図９は、ヘルプ画面１５上でドラッグをしていることを示す画面図である。ドラッグとは、指Ｆをタッチパネル部４０５に接触させた状態で、始点から文字の並ぶ方向Ｄ１（一方向）に、指Ｆを動かし、そして、指Ｆの動きを停止させるジェスチャーである。
【００４６】
認識部５０３が、ドラッグがされていないと判断したとき（ステップＳ４でＮｏ）、ステップＳ４の処理が繰り返される。
【００４７】
認識部５０３が、ドラッグがされたと判断したとき（ステップＳ４でＹｅｓ）、認識部５０３は、指Ｆの動きが停止しているタッチパネル部４０５の箇所を終点として、終点のタッチパネル部４０５上の位置情報を記憶する（ステップＳ５）。
【００４８】
ドラッグ（ユーザーが指を最初に接触させたタッチパネル部４０５の箇所を始点とし、指をタッチパネル部４０５に接触させた状態で始点から一方向に指を動かし、指の動きを停止させたタッチパネル部４０５の箇所を終点とする第１の操作）がされると、ステップＳ６に進む。
【００４９】
認識部５０３は、文字群１７の中で、ドラッグによってなぞられた連続する複数の文字（以下、文字列）に対する認識処理をする（ステップＳ６）。例えば、「縮小／拡大」の最初の文字を示す箇所を始点とし、最後の文字を示す箇所を終点として、文字列「縮小／拡大」を指Ｆでなぞり、終点で指Ｆを止めるとする。認識部５０３は、ヘルプ画面１５の画面データ、始点の位置情報及び終点の位置情報を利用して、始点から終点の範囲にある文字列を認識する。
【００５０】
第１の判断部５０７は、文字群１７に含まれる用語のリストを予め記憶しており、ステップＳ６で認識された文字列に、用語が含まれているか否かを判断する（ステップＳ７）。
【００５１】
第１の判断部５０７が、文字列に用語が含まれていないと判断したとき（ステップＳ７でＮｏ）、表示制御部５０１は、ドラッグされた用語と関連する画面がないことを示す画面を表示部４０３に表示させ、そして、ステップＳ２に戻る。
【００５２】
第１の判断部５０７が、文字列に用語が含まれていると判断したとき（ステップＳ７でＹｅｓ）、第１の判断部５０７は、文字列に二以上の用語が含まれているか否かを判断する（ステップＳ８）。
【００５３】
第１の判断部５０７は、文字列に二以上の用語が含まれていない、すなわち、文字列に含まれる用語が一つと判断したとき（ステップＳ８でＮｏ）、第２の判断部５０９は、ユーザーが終点に指Ｆを接触させた状態で、図１０に示すように、ヘルプ画面１５上で下フリックをしたか否かを判断する（ステップＳ９）。
【００５４】
第２の判断部５０９が、下フリックされたと判断したとき（ステップＳ９でＹｅｓ）、第２の判断部５０９は、図４に示すリストを参照し、下フリックの場合に表示されるヘルプ画面（ここでは、ヘルプ画面１１）を示す情報を表示制御部５０１に送る。表示制御部５０１は、その情報が示すヘルプ画面の画面データを、画面データ記憶部５０５から読み出し、表示部４０３に表示させる画面を、ヘルプ画面１５から図２に示すヘルプ画面１１に切り替える（ステップＳ１０）。
【００５５】
第２の判断部５０９が、下フリックされていないと判断したとき（ステップＳ９でＮｏ）、第２の判断部５０９は、ユーザーが終点に指Ｆを接触させた状態で、図１１に示すように、ヘルプ画面１５上で上フリックをしたか否かを判断する（ステップＳ１１）。
【００５６】
第２の判断部５０９が、上フリックされたと判断したとき（ステップＳ１１でＹｅｓ）、図４に示すリストを参照し、上フリックの場合に表示されるヘルプ画面（ここでは、ヘルプ画面１３）を示す情報を表示制御部５０１に送る。表示制御部５０１は、その情報が示すヘルプ画面の画面データを、画面データ記憶部５０５から読み出し、表示部４０３に表示させる画面を、ヘルプ画面１５から図３に示すヘルプ画面１３に切り替える（ステップＳ１２）。
【００５７】
このように、表示制御部５０１は、第１の判断部５０７が、ステップＳ４でドラッグされた文字列が複数の用語のいずれかに該当すると判断し（ステップＳ７でＹｅｓ）、かつ、第２の判断部５０９が、第２の操作がされたと判断したとき（ステップＳ９でＹｅｓ、ステップＳ１１でＹｅｓ）、複数の用語のうち文字列に該当する用語に関連付けられた予め定められた画面（ヘルプ画面）を、表示部４０３に表示させる。
【００５８】
第２の判断部５０９が、上フリックされていないと判断したとき（ステップＳ１１でＮｏ）、第２の判断部５０９は、タッチパネル部４０５から指Ｆが離れたか否かを判断する（ステップＳ１３）。
【００５９】
第２の判断部５０９が、タッチパネル部４０５から指Ｆが離れていないと判断したとき（ステップＳ１３でＮｏ）、ステップＳ９に戻る。
【００６０】
第２の判断部５０９が、タッチパネル部４０５から指Ｆが離れたと判断したとき（ステップＳ１３でＹｅｓ）、ステップＳ２に戻る。
【００６１】
第１の判断部５０７が、文字列（ドラッグによってなぞられた連続する複数の文字）に、二以上の用語が含まれていると判断したとき（ステップＳ８でＹｅｓ）、表示制御部５０１は、表示部４０３に表示させる画面を、ヘルプ画面１５から図１２に示す選択画面１９に切り替える（ステップＳ１４）。選択画面１９は、二以上の用語のいずれかの選択を促す画面であり、ステップＳ８で第１の判断部５０７によって特定された二以上の用語のそれぞれの文字画像２１を含む。ここでは、選択画面１９に、「縮小／拡大」を示す文字画像２１と「回転」を示す文字画像２１とが含まれる例で説明する。
【００６２】
第２の判断部５０９は、ユーザーがいずれかの文字画像２１上で下フリックをしたか否かを判断する（ステップＳ１５）。
【００６３】
第２の判断部５０９が、ユーザーがいずれかの文字画像２１上で下フリックをしたと判断したとき（ステップＳ１５でＹｅｓ）、表示制御部５０１は、その文字画像２１で示される機能を説明するヘルプ画面を表示部４０３に表示させる（ステップＳ１６）。
【００６４】
第２の判断部５０９が、ユーザーがいずれかの文字画像２１上で下フリックをしていないと判断したとき（ステップＳ１５でＮｏ）、第２の判断部５０９は、ユーザーがいずれかの文字画像２１上で上フリックをしたか否かを判断する（ステップＳ１７）。
【００６５】
第２の判断部５０９が、上フリックをしたと判断したとき（ステップＳ１７でＹｅｓ）、表示制御部５０１は、その文字画像２１で示される機能を含む組み合わせ機能を説明するヘルプ画面を表示部４０３に表示させる（ステップＳ１８）。
【００６６】
例えば、「縮小／拡大」を示す文字画像２１が下フリックされたとき、表示制御部５０１は、図２に示すヘルプ画面１１を表示部４０３に表示させ、「縮小／拡大」を示す文字画像２１が上フリックされたとき、表示制御部５０１は、図３に示すヘルプ画面１３を表示部４０３に表示させる。
【００６７】
第２の判断部５０９が、上フリックをしていないと判断したとき（ステップＳ１７でＮｏ）、ステップＳ１５に戻る。
【００６８】
本実施形態の主な効果を説明する。本実施形態によれば、第１の操作であるドラッグを基にして（ステップＳ４でＹｅｓ）、画面に含まれる文字群１７の中からユーザーが着目した用語を特定し（ステップＳ６、ステップＳ７でＹｅｓ）、第２の操作であるフリックを基にして（ステップＳ９でＹｅｓ、ステップＳ１１でＹｅｓ）、特定した用語に関連付けられた画面を表示部４０３に表示させる（ステップＳ１０、ステップＳ１２）。従って、表示部４０３に表示されている画面に含まれる文字群１７の中でユーザーが着目した用語と関連する画面をスムーズに表示させることができる。
【００６９】
第１の操作をドラッグ（連続する複数の文字をなぞる動作）とし、第２の操作をフリック（タッチパネル部４０５を弾く動作）とした場合でも、ドラッグとフリックとで指が動く方向が同じであれば、第２の判断部５０９は、ドラッグとフリックとを区別できない可能性がある。本実施形態によれば、第２の判断部５０９は、ユーザーが終点に指を接触させた状態で、一方向（図９に示す文字の並ぶ方向Ｄ１）と異なる方向に指でタッチパネル部４０５を弾く第２の操作がされたか否かを判断する（ステップＳ９、ステップＳ１１）。このように、ドラック（第１の操作）とフリック（第２の操作）とで指が動く方向を変えているので、ドラッグとフリックとを確実に区別することができる。
【００７０】
さらに、本実施形態によれば、表示制御部５０１は、下フリックされたとき（ステップＳ９でＹｅｓ）、下フリックの場合のヘルプ画面１１を表示部４０３に表示させ（ステップＳ１０）、上フリックされたとき（ステップＳ１１でＹｅｓ）、上フリックの場合のヘルプ画面１３を表示部４０３に表示させる（ステップＳ１２）。このように、用語に関連付けられた画面が二つある場合、二つの画面のいずれかを選択して表示させることができる。また、第１の方向（下方向）と第２の方向（上方向）とにおいて、指Ｆが動く方向を逆にすることにより、第１の方向と第２の方向とを確実に区別することができる。
【００７１】
なお、フリックの方向は、二つに限定されない。例えば、下フリック及び上フリックにさらに、右フリック及び左フリックを加えて、表示制御部５０１は、フリックの方向に応じて、その方向にフリックした場合の画面を表示部４０３に表示させてもよい。
【００７２】
さらに、本実施形態によれば、文字列に二以上の用語が含まれているとき（ステップＳ８でＹｅｓ）、表示制御部５０１は、二以上の用語のいずれかの選択を促す選択画面１９を表示部４０３に表示させる（ステップＳ１４）。そして、表示制御部５０１は、表示部４０３に選択画面１９を表示させた状態で、第２の判断部５０９が、ユーザーがタッチパネル部４０５に指を接触させて、二以上の用語のいずれかを選択し、フリック（第２の操作）をしたと判断したとき（ステップＳ１５でＹｅｓ、ステップＳ１７でＹｅｓ）、選択された用語に関連付けられたヘルプ画面（予め定められた画面）を表示部４０３に表示させる（ステップＳ１６、ステップＳ１８）。これにより、認識部５０３が認識した文字列に二以上の用語が含まれている場合、再度、ドラッグ（第１の操作）をやり直す手間を省くことができる。
【符号の説明】
【００７３】
１  画像形成装置
１１，１３，１５  ヘルプ画面
１７  文字群
１９  選択画面
４０３  表示部
４０５  タッチパネル部
Ｆ  指（指示体の一例）
Ｄ１  文字の並ぶ方向（一方向の一例）
【図１】
2016062432.tif 000003
【図２】
2016062432.tif 000004
【図３】
2016062432.tif 000005
【図４】
2016062432.tif 000006
【図５】
2016062432.tif 000007
【図６】
2016062432.tif 000008
【図７】
2016062432.tif 000009
【図１２】
2016062432.tif 000010
【図８】
2016062432.tif 000011
【図９】
2016062432.tif 000012
【図１０】
2016062432.tif 000013
【図１１】
2016062432.tif 000014